(57)【要約】【課題】電線の抜けを防止できるとともに、部品点数を少なくすることができる防水コネクタを提供する。【解決手段】ハウジング２の収容部２ｂに係止孔２ｃ１０２ｂを設け、樹脂入りゴム栓４にランス４ｃを設けて、ランス４ｃと係止孔２ｃ１０２ｂとが係合することで樹脂入りゴム栓４がハウジング２内に固定される。【選択図】図２
2012243546.tif 000002
【特許請求の範囲】
【請求項１】
電線が接続された端子を収容する端子収容室を備えたハウジングと、筒状に形成され前記電線を該筒内部に通すとともに前記ハウジングの後端部に設けられた防水部材と、を有する防水コネクタにおいて、
前記ハウジングには、前記防水部材を収容する収容部が形成され、
前記防水部材には、前記筒の内側で前記電線と密着する第１のシール部と、前記筒の外側で前記収容部と密着する第２のシール部と、が設けられ、さらに、前記収容部内に係止する係止部が形成されている
ことを特徴とする防水コネクタ。
【請求項２】
前記防水部材は、前記筒が樹脂で形成されているとともに、前記第１のシール部と前記第２のシール部が弾性部材で形成されていることを特徴とする請求項１に記載の防水コネクタ。
【請求項３】
前記係止部が、前記ハウジングに向かって突出した突起を備えた弾性変形自在なランスとして形成され、前記収容部に、前記突起を係止する孔が形成されていることを特徴とする請求項１または２に記載の防水コネクタ。
【請求項４】
前記端子が、該端子の後端部を前記防水部材の端部が当接することによって保持されていることを特徴とする請求項１乃至３のうちいずれか一項に記載の防水コネクタ。
【発明の詳細な説明】
【技術分野】
【０００１】
本発明は、ハウジング内に水などが浸入しないように構成された防水コネクタに関する。
【背景技術】
【０００２】
防水コネクタは、例えば特許文献１に記載のように、電線の端部に接続された端子を収容する複数の端子収容室を有するハウジングと、このハウジングにおける各端子収容室が開口する後端部に装着される防水部材としての蓋体と、を備えている。蓋体は、ハウジングの後端部の防水を果すシール部と、ハウジングの後端部に係合されて自身を固定するホルダ部と、を有している。
【０００３】
また、従来の防水コネクタの他の構成例を図３を参照して説明する。図３は防水コネクタ１０１の後端部の構成を示した断面図である。防水コネクタ１０１は、ハウジング１０２と、端子１０３と、樹脂入りゴム栓１０４と、リアホルダ１０５と、を備えている。
【０００４】
ハウジング１０２は、絶縁性の樹脂等により形成され、端子１０３を収容する端子収容室１０２ａと、端子収容室の後方に樹脂入りゴム栓１０４が挿入される収容部１０２ｂと、を備えている。端子１０３は、導電性の金属により形成され、図３では不図示であるが電線１０６と電気的に接続されている。
【０００５】
樹脂入りゴム栓１０４は、樹脂で筒状に形成された筒部１０４ａと、ゴム等のシール用弾性部材で形成されたシール部１０４ｂと、を備えている。筒部１０４ａは、収容部１０２ｂに挿入され、電線１０６を筒内に通す。シール部１０４ｂは、円環状に形成され、筒部１０４ａの内側に設けられた部分は電線１０６に密着して、筒部１０４ａの外側に設けられた部分は収容部１０２ｂに密着する。
【０００６】
リアホルダ１０５は、収容部１０２ｂの後部に位置付けられる蓋部１０５ａと、蓋部１０５ａの端部から立設してハウジング１０２の外周部と嵌合する嵌合部１０５ｂと、を備えている。蓋部１０５ａは、電線１０６を通すための通孔が設けられている。嵌合部１０５ｂは、図示しないがハウジング１０２と嵌合するための嵌合部が設けられている。
【先行技術文献】
【特許文献】
【０００７】
【特許文献１】特開２００６−１７９４１６号公報
【発明の概要】
【発明が解決しようとする課題】
【０００８】
図３に示した構造の場合、樹脂入りゴム栓１０４を収容部１０２ｂ内に固定するためにリアホルダ１０５が必要である。また、このリアホルダ１０５は、ハウジング１０２の外周に嵌合して係止しているため、組立時には圧入気味に挿入されることから、嵌合部１０５ｂが破損する恐れがあった。その場合、樹脂入りゴム栓１０４の固定ができなくなり電線１０６が抜けてしまうという問題があった。
【０００９】
また、特許文献１に記載の防水コネクタの場合、端子の固定のためにハウジング内にランスやランスを係止位置に拘束する固定機構等が必要となり、ハウジングが大型化してしまうという問題がある。
【００１０】
そこで、本発明は、電線の抜けを防止するとともに、部品点数を少なく、かつハウジングの小型化を図ることができる防水コネクタを提供することを課題とする。
【課題を解決するための手段】
【００１１】
上記課題を解決するためになされた請求項１に記載の発明は、電線が接続された端子を収容する端子収容室を備えたハウジングと、筒状に形成され前記電線を該筒内部に通すとともに前記ハウジングの後端部に設けられた防水部材と、を有する防水コネクタにおいて、前記ハウジングには、前記防水部材を収容する収容部が形成され、前記防水部材には、前記筒の内側で前記電線と密着する第１のシール部と、前記筒の外側で前記収容部と密着する第２のシール部と、が設けられ、さらに、前記収容部内に係止する係止部が形成されていることを特徴とする防水コネクタである。
【００１２】
請求項２に記載の発明は、請求項１に記載の発明において、前記防水部材は、前記筒が樹脂で形成されているとともに、前記第１のシール部と前記第２のシール部が弾性部材で形成されていることを特徴とするものである。
【００１３】
請求項３に記載の発明は、請求項１または２に記載の発明において、前記係止部が、前記ハウジングに向かって突出した突起を備えた弾性変形自在なランスとして形成され、前記収容部に、前記突起を係止する孔が形成されていることを特徴とするものである。
【００１４】
請求項４に記載の発明は、請求項１乃至３のうちいずれか一項に記載の発明において、前記端子が、該端子の後端部を前記防水部材の端部が当接することによって保持されていることを特徴とするものである。
【発明の効果】
【００１５】
請求項１に記載の発明によれば、電線を密着するシール部が設けられている防水部材には、電線と密着する第１のシール部と、ハウジングと密着する第２のシール部と、が設けられ、さらに、ハウジングの収容部内に係止する係止部が形成されているので、防水部材自体にハウジングへ係止する機能が設けられているために、リアホルダが不要となり、部品点数を削減することができる。また、防水部材はハウジング内に収容されるために、係合する部分が破損しにくく電線抜けを少なくすることができる。
【００１６】
請求項２に記載の発明によれば、樹脂で形成された筒部材にゴム等の弾性部材で形成されたシール部材を取り付けることで構成されている例えば図３で説明した樹脂入りゴム栓においても、リアホルダが不要となり、部品点数を削減することができ、係合する部分が破損しにくく電線抜けを少なくすることができる。
【００１７】
請求項３に記載の発明によれば、係止部が、ハウジングに向かって突出した突起を備えた弾性変形自在なランスとして形成され、防水部材に、突起を係止する孔が形成されているので、防水部材をハウジング内に収容する際にランスを弾性変形させて突起を孔に係止させればよく、ランスが弾性変形するために破損しにくく電線抜けを少なくすることができる。
【００１８】
請求項４に記載の発明によれば、端子が、該端子の後端部を防水部材の端部が当接するにことよって保持されているので、ハウジングに端子保持のための機構が不要となり、ハウジングの小型化を図ることができる。
【図面の簡単な説明】
【００１９】
【図１】本発明の一実施形態にかかる防水コネクタの斜視図である。
【図２】図１に示された防水コネクタの後端部を簡略化して示した断面図である。
【図３】従来の防水コネクタの後端部を簡略化して示した断面図である。
【発明を実施するための形態】
【００２０】
次に、本発明の一実施形態を図１および図２を参照して説明する。本発明の一実施形態にかかる防水コネクタ１は図１および図２に示したように、ハウジング２と、端子３と、樹脂入りゴム栓４と、を備えている。
【００２１】
ハウジング２は、図１に示したように絶縁性の樹脂等により略円筒状に形成されている。また、ハウジング２は、図２に示したように端子３を収容する端子収容室２ａと、樹脂入りゴム栓４を収容する収容部２ｂとを備えている。収容部２ｂは、ハウジング２の端部（後端部）に円筒状に形成されている。図１では収容部２ｂは３箇所形成されている。収容部２ｂには、後述する樹脂入りゴム栓４のランス４ｃを係止するための係止孔２ｃが設けられている。図１では係止孔２ｃは収容部２ｂ一つ当たり３箇所設けられている。
【００２２】
端子収容室２ａは、図２に示したように収容部２ｂに連なるように形成されている。また、端子収容室２ａは収容部２ｂよりも小径の筒状に形成されており、端子収容室２ａと収容部２ｂとの境界には段部２ｄが形成されている。
【００２３】
端子３は、導電性の金属により形成され、図２では不図示であるが電線５と電気的に接続されている。端子３は、その端部３ａに電線５の長手方向に対して直交する方向に凸なフランジが形成されており、この端部３ａ（フランジ）は、前記した段部２ｄと接している。
【００２４】
防水部材としての樹脂入りゴム栓４は、樹脂で略円筒状に形成されている筒部４ａと、シール部４ｂ１、４ｂ２と、ランス４ｃと、を備えている。筒部４ａは、電線５を通すとともに、ハウジング２の収容部２ｂよりも小径かつ、筒部４ａの一端部で端子３の端部３ａを押さえることができる程度の大きさの直径に形成されている。
【００２５】
筒部４ａは、他端側に係止部としてのランス４ｃが形成されている。ランス４ｃは、筒部４ａの長手方向の中央付近から他端側に向かって延在し、その他端側は自由端となって電線５を通した際に電線５に向かって接離する（近づいたり離れたりする）方向に弾性変形自在である。この自由端には、収容部２ｂ（ハウジング２）に向かって突出して収容部２ｂの係止孔２ｃに係止される突起４ｄが形成されている。ランス４ｃは図１に示したように係止孔２ｃに対応するように樹脂入りゴム栓４一つ当たり３箇所形成され、筒部４ａとランス４ｃは一体に形成されている。
【００２６】
シール部４ｂ１、４ｂ２は、筒部４ａのランス４ｃよりも一端側に設けられている。シール部４ｂ１、４ｂ２は、ゴム等のシール用弾性部材で円環状に形成され、第１のシール部としての筒部４ａの内側に設けられるシール部４ｂ１は電線５に密着し、第２のシール部としての筒部４ａの外側に設けられるシール部４ｂ２は収容部２ｂに密着する。
【００２７】
以上の構成の防水コネクタ１は、例えば次のように組み立てられる。まず、樹脂入りゴム栓４に電線５を通し、電線５と端子３とを電気的に接続する。そして、端子３を収容部２ｂ側からハウジング２の端子収容室２ａに挿入し、樹脂入りゴム栓４をハウジング２の収容部２ｂに挿入する。
【００２８】
すると、樹脂入りゴム栓４のランス４ｃが図２の電線５に近づく方向に弾性変形して突起４ｄが収容部２ｂに進入し、突起４ｄが係止孔２ｃの位置まで進入すると、ランス４ｃが電線５から離れる方向に弾性復帰して突起４ｄが係止孔２ｃに係止され樹脂入りゴム栓４が収容部２ｂ内に固定される。また、樹脂入りゴム栓４は、収容部２ｂ内に固定されると同時に、その一端部（図２の端子３側）が端子３の端部３ｂに突き当たり（当接して）端子３を保持する。
【００２９】
また、樹脂入りゴム栓４が固定された状態において、シール部４ｂはランス４ｃよりも一端側（端子側）に設けられて、シール部４ｂ１は、電線５に密着し、シール部４ｂ２は収容部２ｂ（ハウジング２）に密着する。したがって、収容部２ｂの開口部や係止孔２ｃなどからの水などの浸入を防止する防水部材として機能する。
【００３０】
本実施形態によれば、ハウジング２の収容部２ｂに係止孔２ｃを設け、樹脂入りゴム栓４にランス４ｃを設けて、ランス４ｃの突起４ｄが係止孔２ｃに係止することで樹脂入りゴム栓４がハウジング２内に固定されるので、リアホルダが不要となり、部品点数を削減することができる。また、樹脂入りゴム栓４に、突起４ｄが進入する係止孔２ｃが形成されているので、樹脂入りゴム栓４をハウジング２内に収容してランス４ｃを弾性変形させて突起４ｄを係止孔２ｃに係止させればよく、ランス４ｃが弾性変形するために破損しにくく電線５の抜けを少なくすることができる。
【００３１】
また、樹脂入りゴム栓４で端子３の端部３ａを押さえているので、ハウジング２内に端子３を保持するための機構が不要となり、ハウジング２の小型化を図ることができる。
【００３２】
なお、上述した実施形態では、防水部材として樹脂入りゴム栓４を説明したが、全体がゴム等の弾性部材で形成され、外側がハウジングと密着するとともに、係止部として突起等を設けて固定できるようにし、内側に電線を通すとともに電線と密着するような構成としてもよい。この場合は全てゴム等で一体に形成できるので、防水部材自体の組立が不要となりコストを低減できる。
【００３３】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００３４】
１     防水コネクタ
２     ハウジング
２ａ   端子収容室
２ｂ   収容部
２ｃ   係止孔（孔）
３     端子
４     樹脂入りゴム栓（防水部材）
４ｂ   シール部
４ｃ   ランス（係止部）
４ｄ   突起
５     電線
【図１】
2012243546.tif 000003
【図２】
2012243546.tif 000004
【図３】
2012243546.tif 000005